(57)【要約】【課題】  ブラシが摩耗して使用限界に達すると、それ以上ブラシを下げられないようにすると共に、そのことを運転中に検知できるようにして、既に使用の限界に至ったブラシを用いることにより引き起こされる清掃状態の悪化や、絨毯面等の清掃面に対する損傷をなくすように工夫した清掃機用ブラシ装置を提供する。【解決手段】  絨毯面や床面、或いは、路面等の清掃面ＣＰをロールブラシ１４を回転して清掃する清掃機に、ロールブラシ１４を取付けたブラシアーム体２０と、ロールブラシ１４を覆うカバー部３４と掃き上げたゴミを回収するダストボックス４０を、いずれも清掃面ＣＰに対して上下作動自在に取付けて、これ等ブラシアーム体２０とブラシカバー体３０に、両者の相対的な上下動を所定の範囲内に規制するブラシ上下動規制手段を設ける。【選択図】    図２
2006280601.tif 000002
【特許請求の範囲】
【請求項１】
走行しながらロールブラシを回転することにより、絨毯面や床面、或いは、路面等からなる清掃面上のゴミをホッパに掃き上げて回収すると共に、ロールブラシを覆うカバー体の内部にブロアーの吸引作用を及ぼして、ロールブラシの回転によってカバー体内に舞い上がったダストを回収するように構成した清掃機であって、
一側に上記のロールブラシを取付け、他側を車体側に回動自在に取付けて、作動手段による上下作動に従ってロールブラシを清掃面に対して接離自在に構成したブラシアーム体と、
一側を上記ブラシアーム体側に回動自在に取付け、他側の上部側が上記ロールブラシの外周を覆い、且つ、底部が直接又は間接的に清掃面に接するように構成すると共に、全体が清掃面に対して上下作動自在に構成された前記カバー体としてのブラシカバー体と、
上記のブラシアーム体又はブラシカバー体のいずれか一方、又は、双方に設けられていて、上記ブラシアーム体に取付けたロールブラシと上記ブラシカバー体との相対的な上下作動を、所定の範囲内に規制することができるブラシ上下動規制手段と、を備えたことを特徴とする清掃機用ブラシ装置。
【請求項２】
前記ブラシ上下動規制手段が、前記ブラシアーム体及びブラシカバー体のいずれか一方に設けられたストッパー軸と、いずれか他方に設けられたストッパー軸の上下作動を所定の範囲で規制するスライド長孔とによって構成されていることを特徴とする請求項１に記載の清掃機用ブラシ装置。
【請求項３】
前記ブラシカバー体内の前記ロールブラシに隣接する位置に、ロールブラシの回転により清掃面より掃き上げられたゴミを収容するダストボックスを設けたことを特徴とする請求項１に記載の清掃機用ブラシ装置。
【請求項４】
前記ブラシカバー体の清掃面に接する底面部分に、前記ロールブラシ用の開口部を設け、この開口部の周縁部分には、清掃面に密接しながら滑動することによってブラシカバー体内をシールし、且つ、上記ロールブラシが接する清掃面の前後を押さえ付けることができるシール部材を設けたことを特徴とする請求項１、２又は３に記載の清掃機用ブラシ装置。
【請求項５】
前記ロールブラシを回転するモータの負荷電流値を検出して、予め設定されている電流値を検出するとブラシ摩耗信号を発信するブラシ摩耗検知装置を設けたことを特徴とする請求項１、２、３又は４に記載の清掃機用ブラシ装置。
【発明の詳細な説明】
【技術分野】
【０００１】
本発明は、走行しながらロールブラシを回転して絨毯面や床面、或いは、路面といった各種清掃面を清掃する清掃機に用いて好適なブラシ装置に関するものである。
【背景技術】
【０００２】
上述した回転ブラシを用いた清掃機に関して、特許文献１に記載の「走行式清掃車用ダストシュート装置」には、走行しながら床面又は路面上のゴミをメインブラシで掃き上げてホッパーに回収する走行式清掃車に関する技術が記載されている。この中で、メインブラシ３はロッカーアーム２１に支えられ、このロッカーアームに支えられたメインブラシを床面から離れた位置に上昇させたり、又、清掃面である床面上に下降させたりするように構成されている。そして、ロッカーアームはブラシの自重により上記下方に向けて荷重が掛かるように構成され、ネジで調整すればブラシの下限位置が変えられるようにしてある。従って、ブラシが摩耗して床面に対するブラシ接触圧が弱くなれば、上記ネジ位置を変えることで接触圧力を強くすることが可能であり、勿論弱くすることも可能に成っている。
【０００３】
また、特許文献２に記載の「洗浄水のリサイクル機能を備えた床面洗浄機」には、車体２に取付けたリフトアクチェータ１４を駆動させてリフトアーム１５、メインシャフト１１を介してメインシャフト１１に片持ち式に取付けたカバー体１３と、左右の支持アーム１６、１７とを床面に向けて降下回動し、カバー体１３の下側縁と洗浄ブラシ２０を、図１に示すように床面に接地させる仕組みが記載されている。
【特許文献１】実用新案登録第２５３２６６７号公報
【特許文献２】特開平９−９４１９８号公報
【発明の開示】
【発明が解決しようとする課題】
【０００４】
しかし、上記特許文献１に記載の装置は、ロッカーアームに支えられたブラシを、ロッカーアームと共に所定の床面に接触する高さまで下降させるものであるから、いづれブラシが摩耗してブラシ接触圧が下がれば、その都度、上記ネジ位置を変えてブラシの床面への接触圧力を強くする処置をとらざるを得ないため、操作が煩雑になる問題があった。
【０００５】
更に、ブラシが摩耗して使用限界を超えた場合でも、相変わらずネジ位置を変えて、ブラシの位置を下げ続けることができるため、その結果、清掃ができない状態であることに気づかなかったり、或いは、対象の清掃面が絨毯等である場合には、絨毯面を損傷させてしまう問題が発生していた。
【０００６】
また、上記特許文献１に記載の装置では、ブラシで掃き上げたダストをダストホッパーに落下させて回収する際に、ブラシ先端部とダストホッパーとの間からダストがはみ出ないようにダストシュートを設ける一方、ブラシ摩耗により、ブラシ先端部とダストホッパーとの間が開いてダストがはみ出ないように、ダストシュートのブラシ先端に対する間隔をブラシの摩耗に同調させる工夫が成されている。その結果、ブラシの摩耗によって発生するダスト回収不良の問題を解消するための新たな部品を用いる必要があり、これがコスト高を招く原因になっていた。
【０００７】
一方、上記特許文献２に記載の装置は、図示の如く、リフトアクチェータ１４を駆動させることにより、カバー体１３と左右の支持アーム１６、１７とを床面に向けて降下回動し、カバー体１３の下側縁と洗浄ブラシ２０を一緒に床面に接地させるように構成されている。しかし、ブラシとカバー体１３の下側縁とは、カバー体１３に対して一体的に取付けられているから、ブラシが摩耗して下がればカバー体１３の下側縁も追従して下がる結果になり、カバー体１３の下側縁であるサイドシールゴム２１、２２と床面との接触状態が変化することになり、吸引状態、床面への接触抵抗等が不安定になる問題があった。
【０００８】
更に上記特許文献２に記載の装置によれば、ブラシの摩耗限界を検知するのは作業者の目視にたよるものであり、ブラシの交換時期を誤ると、清掃状態が悪化したり、清掃面を損傷させる等の事故を発生させる危険性があった。
【０００９】
本発明は上述した各問題点を解消するために成されたものであって、その技術的課題は、ブラシが摩耗して使用限界に達すると、それ以上ブラシを下げられないようにすると共に、そのことを運転中に検知できるようにして、既に使用の限界に至ったブラシを用いることにより引き起こされる清掃状態の悪化や、絨毯面等の清掃面に対する損傷をなくすようにすることである。
【００１０】
更に本発明の他の技術的課題は、ブラシによるゴミの掃き込みと合わせて行われるダストの吸引において、その吸引効率を良くすると共に、清掃面である絨毯のたるみを生じさせることのないようにし、且つ、ダストシュートを設けなくても、充分な掃き込み性能を発揮できるように工夫した清掃機用ブラシ装置を提供することである。
【課題を解決するための手段】
【００１１】
（１）  上記の技術的課題を解決するために、請求項１に係る発明は、走行しながらロールブラシを回転することにより、絨毯面や床面、或いは、路面等からなる清掃面上のゴミをホッパに掃き上げて回収すると共に、ロールブラシを覆うカバー体の内部にブロアーの吸引作用を及ぼして、ロールブラシの回転によってカバー体内に舞い上がったダストを回収するように構成した清掃機であって、
一側に上記のロールブラシを取付け、他側を車体側に回動自在に取付けて、作動手段による上下作動に従ってロールブラシを清掃面に対して接離自在に構成したブラシアーム体と、一側を上記ブラシアーム体側に回動自在に取付け、他側の上部側が上記ロールブラシの外周を覆い、且つ、底部が直接又は間接的に清掃面に接するように構成すると共に、全体が清掃面に対して上下作動自在に構成された前記カバー体としてのブラシカバー体と、上記のブラシアーム体又はブラシカバー体のいずれか一方、又は、双方に設けられていて、上記ブラシアーム体に取付けたロールブラシと上記ブラシカバー体との相対的な上下作動を、所定の範囲内に規制することができるブラシ上下動規制手段と、を備えたことを特徴としている。
【００１２】
（２）  また、請求項２に係る発明は、前記ブラシ上下動規制手段が、前記ブラシアーム体及びブラシカバー体のいずれか一方に設けられたストッパー軸と、いずれか他方に設けられたストッパー軸の上下作動を所定の範囲で規制するスライド長孔とによって構成されていることを特徴としている。
【００１３】
（３）  また、請求項３に係る発明は、前記ブラシカバー体内の前記ロールブラシに隣接する位置に、ロールブラシの回転により清掃面より掃き上げられたゴミを収容するダストボックスを設けたことを特徴としている。
【００１４】
（４）  また、請求項４に係る発明は、前記ブラシカバー体の清掃面に接する底面部分に、前記ロールブラシ用の開口部を設け、この開口部の周縁部分には、清掃面に密接しながら滑動することによってブラシカバー体内をシールし、且つ、上記ロールブラシが接する清掃面の前後を押さえ付けることができるシール部材を設けたことを特徴としている。
【００１５】
（５）  更に請求項５に係る発明は、前記ロールブラシを回転するモータの負荷電流値を検出して、予め設定されている電流値を検出するとブラシ摩耗信号を発信するブラシ摩耗検知装置を設けたことを特徴としている。
【００１６】
上記（１）と（２）で述べた手段によれば、清掃を行う場合にブラシアーム体を清掃面に下降すると、ロールブラシが清掃面に降ろされ、同時にブラシカバー体が清掃面に降ろされる。清掃面に降ろされたロールブラシとブラシカバー体は、それぞれが自在に上下動し、従って、ロールブラシが摩耗して清掃面方向に更に下降したとしても、ブラシカバー体の清掃面に対する接触状態は変化しない。したがって、清掃面に対するブラシカバー体の密着状態も変化が生じない。また、清掃を終了したり、移動する場合は、ブラシアーム体を清掃面から上昇させると、ブラシカバー体も上昇するように動作するため、単に清掃開始、清掃終了の操作をするだけでよいから、運転操作が頗る簡単になる。
【００１７】
更に上記の手段によれば、ロールブラシが摩耗して、使用限界になると、ブラシカバー体、もしくは、ブラシアーム体に取付けられたブラシ上下動規制手段によって、ロールブラシがそれ以上に下降することがない。したがって、ロールブラシが摩耗限界を超えたことで発生する絨毯面を傷めるとか、清掃が充分に行われなくなるといったトラブルの発生を防止することができる。
【００１８】
上記（３）で述べた手段によれば、ブラシカバー体のロールブラシに隣接する位置に、ロールブラシの回転により掃き込まれたダストを収容するダストボックスを設けたから、掃き上げられたダストはそのまま安全確実にダストボックスに導くことができる。従って、特許文献１に記載されているような、所謂ダストシュート等の存在は不要であり、構成が簡素化できる。
【００１９】
上記（４）で述べた手段によれば、ブラシカバー体の底面に設けた開口部の縁に、ブラシ周辺を清掃面に密着摺動してシールすると共に、上記のブラシ周辺の床面を押圧するシール部材を設けたから、絨毯等の清掃を行う場合において、絨毯面の部分的な吸引性能を上げることができるので、絨毯の奥深い箇所にたまったゴミを容易に掃き出して吸引することができる、また、ブラッシングを行う場合に発生する絨毯の浮き上がりを押さえることができ、その結果、絨毯が部分的にたるんだりするといったトラブルが発生しない。                
【００２０】
上記（５）で述べた手段によれば、ブラシ回転駆動モータの運転中の負荷電流を検知し、予め設定された所定の電流値を検知すると、ロールブラシの摩耗を判定して信号を発するように構成したから、ロールブラシが使用限界に達し、上記のブラシ上下動規制手段によりロールブラシの下降が停止されると、ロールブラシを回転させるモーター電流が変化し、その変化を検知することで、ロールブラシの摩耗限界に達したことを検知することができる。このロールブラシの摩耗による使用限界は、走行しながらロールブラシを回転させている中で検知できるものであるから、作業者が目視で確認することなく、摩耗によって発生するトラブル事故を未然に防止することができる。
【発明の効果】
【００２１】
以上述べた次第で、本発明に係る清掃機用ブラシ装置によれば、ロールブラシが摩耗して使用限界に達すると、それ以上ロールブラシが下がらないようにすると同時に、そのことを運転中に検知することができるため、摩耗によって使用の限界に達したロールブラシを使用することによって発生する清掃状態の悪化や、絨毯面等に対する損傷事故を防いで、安全にブラシ清掃を行える利点を発揮することができる。
【発明を実施するための最良の形態】
【００２２】
以下に、上述した本発明に係る清掃機用ブラシ装置の実施の形態を説明すると、図１は本発明のブラシ装置を備えた清掃機の全体を示した斜視図、図２は図１に示した清掃機の内部構造を説明した側面図、図３と図４は本発明のブラシ装置の部分拡大した側面図で、図３はロールブラシが新品の時の状態を、また、図４はロールブラシが摩耗した時の状態を示したものであって、これ等の図面において、１は清掃機本体、１Ａは本体カバー、２は操作ハンドル、３はモータ１５によって駆動する駆動輪、４は前輪、１４は駆動軸１４Ｒに取付けたロールブラシ、１３はブラシ駆動モータで、図示した清掃機は図面上左方向に走行しながらロールブラシ１４を回転して、絨毯面や床面、或いは、路面といった清掃面ＣＰ（以下単に清掃面ＣＰという）を清掃するように構成されている。
【００２３】
更に図中、符号２０で全体的に示したのは、一端側に上記のロールブラシ１４を回転自在に取付け、他端側を取付軸６を用いて車体のシャーシ１Ｋに回動自在に取付けたブラシアーム体で、ブラシアーム体２０の全体は、上記の取付軸６を支点にして、ロールブラシ１４を取付けた一端側が清掃面ＣＰに対して上下回動自在に構成されている。尚、図１において２０Ｈは外カバー体である。
【００２４】
符号３０で全体的に示したのは、一側を支持軸５を用いて上記ブラシアーム体２０の中間上側部に回動自在に取付け、他側の上部側を上記ロールブラシ１４の上側部を覆うカバー部３４と成したブラシカバー体であって、ブラシカバー体３０の全体は、上記の支持軸５を支点にして、ロールブラシ１４を覆うカバー部３４を設けた側が、清掃面ＣＰに対して上下作動自在に構成され、且つ、底面部側が直接、又は、間接点に清掃面ＣＰ側に接する仕組みに成っている。
【００２５】
図３と図４において、４０はロールブラシ１４に隣接させて上記ブラシカバー体３０の内部に連接したダストボックスで、前記ロールブラシ１４の回転によって掃き上げたゴミが、上記カバー部３４にガイドされて上記のダストボックス４０内に回収される仕組みに成っている。このダストボックス４０は、回収したゴミを処理するために図面において手前方向に引出し自在に構成されており、４１はダストボックス４０の蓋板を兼ねるダクト吸引通路のガイド板を示す。
【００２６】
図２乃至図４において、９は車体内部に設けたブロアーで、ブロアー９の吸引作用は上記ダストボックス４０に及んでいて、ダストボックス４０内に舞い上がったダスト（粉塵）は、吸引ダクト１８を通って一次及び二次フイルタ１０、１１にて順次濾過され、濾過後の清浄空気がダクト９Ｈからブロアー９を経て本体カバー１Ａの内側に設けたガイド通路１Ｚ及び排気ダクト１２を通って清掃機本体１の外部に排出される仕組みに成っている。
【００２７】
更に図中、１６Ｓは前述したブラシアーム体２０に常時上方への牽引作用を不勢するバネ、８は作業者によって作動操作自在に構成された昇降用シリンダで、シリンダロッドの下端に設けた振動吸収用のスプリング部８Ｓの先端が上記ブラシアーム体２０に連結されていて、この昇降用シリンダ８を操作ハンドル２の部分に設けた操作盤を操作することによって、ブラシアーム体２０を上下動して、清掃面ＣＰに対するロールブラシ１４の接触圧を加減調節することができるように構成されている。
【００２８】
また、３７は上記ブラシカバー体３０の先端部側面に突設したストッパー軸、２４は上記ブラシアーム体２０の先端部側面に形成したスライド長孔であって、図２、図３に示すようにこのスライド長孔２４内にストッパー軸３７を嵌め込むことにより、ブラシカバー体３０とブラシアーム体２０、即ち、ロールブラシ１４の相対的な上下作動を、所定の範囲内で規制するブラシ上下動規制手段が構成される。尚、図２と図３はロールブラシ１４が新品の時の状態を示したものであることは、前述の通りである。
【００２９】
上記のブラシ上下動規制手段によれば、ロールブラシ１４が摩耗して限界に達した場合に、上記昇降用シリンダ８を操作してブラシアーム体２０を下方に下げて、摩耗したロールブラシ１４を清掃面ＣＰに接触させようとしても、図４に示すようにブラシアーム体２０のスライド長孔２４の上縁にブラシカバー体３０のストッパー軸３７が係合して、ブラシアーム体２０、即ち、ロールブラシ１４の下降を係止するため、摩耗したロールブラシ１４による清掃面ＣＰの損傷や、清掃不備といった各種問題の発生を防止できるように構成されている。
【００３０】
また、本発明では上記ブラシ上下動規制手段によってロールブラシ１４の降下が規制された結果、ロールブラシ１４が清掃面ＣＰに接触せずに空転すると、本発明では図１１に示すようにブラシ駆動モータ１３の電流の変化を電流検出部１０１を検出し、この検出信号から制御部１０２が警報部１０３に作動信号を送って、ロールブラシ１４の摩耗が限界に達したことを作業者等に知らせる仕組みに成っている。図１２は上記制御部１０２による電流監視の状態を説明したフローチャートで、ステップＳ５で電流が設定値以下であると判断されると、ステップＳ６に進んで警報部１０３が作動するように構成されている。
【００３１】
尚、上記図１２に示したフローチャートにおけるステップＳ５で示した設定値は、清掃機が例えばカーペット上を走行している時に、床面の凹部で電流低下が起こるため、その通過時間をみて設定値以下が例えば５秒以上継続した条件で、ブラシ摩耗表示をするものとする。また、この設定値は、ブラシ駆動モータ１３の無負荷電流（ブラシがカーペットに接しない時の電流値）に対し×１．１倍〜×１．２倍程度が目安となる。
【００３２】
また、上述したブラシ上下動規制手段は実施の一例であって、例えば、ブラシアーム体２０にストッパー軸３７を設け、ブラシカバー体３０にストッパー軸３７を嵌め込むスライド長孔２４を設けるようにしてもよい。図１０が上記他の実施例の構成を説明したものであって、図中、１４Ａはブラシ初期の新品のロールブラシ、１４Ｂはブラシ摩耗時の限界に達したロールブラシであって、ストッパー軸３７がスライド長孔２４内を下方に移動して、移動（ロールブラシ１４の降下）が停止された状態が示されている。尚、図１０において１３Ｂは一端を前記ブラシ駆動モータ１３の駆動ロールに掛け渡し、他端を上記ロールブラシ１４を回転する回転ロール１３Ｃに掛け渡した作動ベルトを示す。
【００３３】
次に、上述したブラシアーム体２０とブラシカバー体３０の具体的な構成を図面と共に説明する。
【００３４】
図５（Ａ）は上記ブラシアーム体２０の実施例を示した平面図、（Ｂ）はその左側面図、（Ｃ）は右側面図、図６は全体の斜視図であって、これ等の図面において、２０Ａ，２０Ｂは左右のアーム板、２０Ｅと２０Ｆはこれ等左右のアーム板２０Ａ，２０Ｂを連結する前後の連結板で、２０Ｄは連結杆、２１，２１は前記取付軸５用の取付穴、２７，２７は前記ブラシカバー体３０を回動自在に支持する支持軸５を挿入する軸受部、２２はブラシ駆動モータ１３の駆動軸が挿入される穴、２３…はブラシ駆動モータ１３の取付穴、２０Ｄは前記昇降用シリンダ８の振動吸収用スプリング８Ｓの下端部（具体的にはシリンダロッドの下端部）が懸掛される係止杆、２５は前記ロールブラシ１４の駆動軸１４Ｒの取付穴、２０Ｃは一方のアーム板２０Ｂの外側面に設けたダストボックス４０のカバー室、２６は前記ダストボックス４０の装着室を示す。
【００３５】
以上の如く構成されたブラシアーム体２０の全体は、取付軸５を支点に上下動し、また、その先端部、具体的には前記連結板２０Ｅには、前述した上方に牽引作用が働くバネ１６Ｓの下端が懸掛されて、ロールブラシ１４がその重量によって清掃面ＣＰ側に必要以上に強く接することを防止している。
【００３６】
次に、図７（Ａ）は上記ブラシカバー体３０の実施例を示した平面図、（Ｂ）はその左側面図、（Ｃ）は右側面図であって、これ等の図面において、３０Ａと３０Ｂはブラシカバー体３０のダスト吸引部とカバー部であって、ダストボックス４０へのロールブラシ１４によるゴミの掃き込みに際して、ダストボックス４０内に舞い上がったダストは、前記ブロアー９の吸引作用を受けてダストボックス４０の上部室３３を通ってその天井面に設けた排気口３１，３１から上記ダスト吸引部３０側に接続されている前記のダスト１８を経て、ブロアー９側に吸引される仕組みに成っている。
【００３７】
また、３２，３２はブラシカバー体３０の一方の外側壁根端部側と支持板３０Ｃの夫々に設けた前記支持軸５を挿入する軸受部で、ブラシカバー体３０はこの支持軸５を支点にして上下回動自在であることは前述の通りである。更に、ブラシカバー体３０の左右両外側壁の先端部側には、前述したストッパー軸３７，３７が突設されている。
【００３８】
上記のカバー部３０Ｂは、前述したブラシカバー部３４と、ロールブラシ１４を収めるブラシ室３４Ａと、ロールブラシ１４の駆動軸１４Ｒを挿通する縦長の軸穴３５と、ロールブラシ１４用の底面開口部３４Ｂとを備えていて、ロールブラシ１４の回転によって清掃面ＣＰより掃き上げたゴミを、カバー部３０Ｂがガイドして通路部３９を通して前記ダストボックス４０内に送り込むことができるように構成されている。
【００３９】
図８は、上記ブラシカバー体３０の底面に設けたロールブラシ１４用の開口部３４Ｂの部分に取付けるシール部材５０の実施例を示したものであって、（Ａ）は平面図、（Ｂ）は（Ａ）のＨ−Ｈ線に沿った拡大断面図、（Ｃ）は全体の斜視図であって、シール部材５０の全体は、中央部５０Ａと、先端部５０Ｂと、根端部５０Ｃとによって構成されている。
【００４０】
全体を金属板を打ち抜いて形成されたシール部材５０は、（Ｂ）に示すように中央部５０Ａと先端部５０Ｂとは、互いに内側に傾斜していて、その平坦な底面５０Ｔの上側部に、図９に示した拡大図に見られるように前記ブラシカバー体３０の底面開口部３４Ｂの部分が嵌め込まれる仕組みになっており、且つ、この底面５０Ｔにロールブラシ１４が入る大きな清掃口５１が開口されている。
【００４１】
清掃口５１には進行方向に向かった複数の丸棒５２…を並べて掛け渡すことにより、清掃時に清掃口５１の前後の底面５０Ｔによって清掃面ＣＰを押さえて、そのたわみの発生を防止すると共に、複数の丸棒５２…が足拭きマット等を押さえて、ロールブラシ１４への巻き込み（噛み込み）を防止する仕組みに成っている。
【００４２】
また、上記先端部５０Ｂの傾斜している板５３は、前記ブラシカバー体３０の底面開口部３４Ｂに設けた傾斜板３８の底面側に沿設され、その屈曲した先端部５３Ａをブラシカバー体３０の傾斜板３８の前縁に金属が持つ弾性を利用して係合すると共に、根端部５０Ｃに設けた屈接片５５を、図９に示すように上記ブラシカバー体３０の底面一側部に設けた取付台３６にネジ５９を用いて止めることによって、上記ブラシカバー体３０の底面側に交換自在に取付けられている。
【００４３】
尚、図中５４…は前記ブラシカバー体３０に設けた複数の開口部で、ブラシカバー体３０を軽くするためのものである。５６…は上記ネジ５９用の穴を示す。また、図９は前述したように本発明の要部を拡大して示した断面図である。
【図面の簡単な説明】
【００４４】
【図１】本発明に係るブラシ装置を備えた清掃機の一例を示した斜視図。
【図２】本発明に係るブラシ装置を備えた清掃機の内部構造を説明した側面図。
【図３】ロールブラシが新品の時における本発明の要部構成を拡大して示した側面図。
【図４】ロールブラシが摩耗した時における本発明の要部構成を拡大して示した側面図。
【図５】（Ａ）は本発明で使用するブラシアーム体の一例を示した平面図、（Ｂ）はその左側面図、（Ｃ）は右側面図。
【図６】ブラシアーム体の全体を説明した斜視図。
【図７】（Ａ）は本発明で使用するブラシカバー体の一例を示した平面図、（Ｂ）はその左側面図、（Ｃ）は右側面図。
【図８】（Ａ）は本発明で使用するシール部材の一例を示した平面図、（Ｂ）はそのＨ−Ｈ線に沿った拡大断面図、（Ｃ）は全体の斜視図。
【図９】本発明の要部を拡大して示した断面図。
【図１０】ロールブラシの摩耗の状態を説明した説明図。
【図１１】警報装置の電気的構成を説明したブロック図。
【図１２】ロールブラシの摩耗による警報発生の手順を説明したフローチャート。
【符号の説明】
【００４５】
１            清掃機本体
５            支持軸
６            取付軸
８            昇降用シリンダ
９            ブロアー
１４          ロールブラシ
ＣＰ          清掃面
１６Ｓ        バネ
２０          ブラシアーム体
３０          ブラシカバー体
３４          カバー部
４０          ダストボックス
５０          シール部材
【図１】
2006280601.tif 000003
【図２】
2006280601.tif 000004
【図３】
2006280601.tif 000005
【図４】
2006280601.tif 000006
【図５】
2006280601.tif 000007
【図６】
2006280601.tif 000008
【図７】
2006280601.tif 000009
【図８】
2006280601.tif 000010
【図９】
2006280601.tif 000011
【図１０】
2006280601.tif 000012
【図１１】
2006280601.tif 000013
【図１２】
2006280601.tif 000014